(57)【要約】【課題】電子機器及び表示方法を提供する。【解決手段】実施形態の電子機器は、第１の処理部と、第２の処理部と、信号出力部と、を具備する。第１の処理部は、番組を受信して、映像信号及び音声／音響信号の再生が可能に処理する。第２の処理部は、番組を受信して、少なくとも制御情報が含む優先度の高い特定の情報が送信されていることを取得する。信号出力部は、前記第２の処理部が前記優先度の高い特定の情報が送信されていることを取得した場合に、表示部へ出力する映像出力を、前記優先度の高い特定の情報が送信されている番組を含む２以上の番組を同一表示内に表示可能に変更する。【選択図】図１
2018046466.tif 000002
【特許請求の範囲】
【請求項１】
番組を受信して、映像信号及び音声／音響信号の再生が可能に処理する第１の処理部と、
番組を受信して、少なくとも制御情報が含む優先度の高い特定の情報が送信されていることを取得する第２の処理部と、
前記第２の処理部が前記優先度の高い特定の情報が送信されていることを取得した場合に、表示部へ出力する映像出力を、前記優先度の高い特定の情報が送信されている番組を含む２以上の番組を同一表示内に表示可能に変更する信号出力部と、
を具備する電子機器。
【請求項２】
前記信号出力部は、前記第２の処理部が、前記優先度の高い特定の情報が送信されていることを取得した場合に、表示部へ出力する映像出力を、それまでに再生されていた番組と前記優先度の高い特定の情報が送信されたことが検出された番組とを含む多画面表示が可能に、変更する請求項１の電子機器。
【請求項３】
前記第２の復調部は、前記電子機器の制御部による制御において動作するソフトウェアデコーダを含む請求項１または２の電子機器。
【請求項４】
前記電子機器は、２以上の番組を受信可能である請求項１−３のいずれか１の電子機器。
【請求項５】
前記第２の復調部は、前記優先度の高い特定の情報が付属した番組が送信されていることを、番組が含む記述子により検出する請求項１−４のいずれか１の電子機器。
【請求項６】
前記信号出力部による前記２以上の番組の同一表示内への表示は、設定により抑止できる請求項１−５のいずれか１の電子機器。
【請求項７】
表示部をさらに含む請求項１−６のいずれか１の電子機器。
【請求項８】
番組を受信して、映像信号及び音声／音響信号の再生が可能に処理し、
番組を受信して、少なくとも制御情報が含む優先度の高い特定の情報が送信されていることを取得し、
優先度の高い特定の情報が送信されていることを取得した場合に、表示部へ出力する映像出力を、２以上の番組を同一表示内に表示可能に変更する、
表示方法。
【発明の詳細な説明】
【技術分野】
【０００１】
この発明は、情報を再生する電子機器及び表示方法に関する。
【背景技術】
【０００２】
空間波や配信により供給される番組（コンテンツと称する場合もある）を再生する電子機器、例えばテレビジョン受信装置（以下テレビジョン装置と称する）は、視聴者が選択した所定の番組を受信する。なお、複数のチューナーを含み、同時に所定数の番組を受信できるテレビジョン装置も広く利用されている。また、表示装置の表示領域を複数の区画に分割して複数の番組を同時に表示するマルチチャンネル表示機能も既に広く利用されている。
【先行技術文献】
【特許文献】
【０００３】
【特許文献１】特開平９−１６２８２１号公報
【特許文献２】特開２００１−９３２３０号公報
【発明の概要】
【発明が解決しようとする課題】
【０００４】
テレビジョン装置が受信する番組には、表示すべき優先度が非常に高い情報が付属する場合がある。
【０００５】
複数のチューナーにより同時に所定数の番組を受信し、１つの番組を表示している場合において優先度の高い情報が付属している番組を表示していない場合は、視聴者が、優先度の高い情報が付属している番組を受信していることに気がつかない恐れがある。また、マルチチャンネル表示機能により複数の番組を表示している場合においても主画面表示にて表示している番組とは異なる番組で優先度の高い情報が付属している番組を受信している場合、視聴者が、優先度の高い情報が付属している番組を受信していることに気がつくまでに時間がかかる恐れがある。
【０００６】
この発明の目的は、情報を再生する電子機器及び表示方法を提供することである。
【課題を解決するための手段】
【０００７】
実施形態の電子機器は、第１の処理部と、第２の処理部と、信号出力部と、を具備する。第１の処理部は、番組を受信して、映像信号及び音声／音響信号の再生が可能に処理する。第２の処理部は、番組を受信して、少なくとも制御情報が含む優先度の高い特定の情報が送信されていることを取得する。信号出力部は、前記第２の処理部が前記優先度の高い特定の情報が送信されていることを取得した場合に、表示部へ出力する映像出力を、前記優先度の高い特定の情報が送信されている番組を含む２以上の番組を同一表示内に表示可能に変更する。
【図面の簡単な説明】
【０００８】
【図１】実施形態に係る電子機器の一例を示す概略図。
【図２】実施形態に係る電子機器による表示例の一例を示す概略図。
【図３】実施形態に係る電子機器が検出する情報の記述の一例を示す概略図。
【図４】実施形態に係る電子機器が検出する情報の記述の一例を示す概略図。
【図５】実施形態に係る電子機器の動作の一例をソフトウェア的に示す概略図。
【図６】実施形態に係る電子機器の動作の一例をソフトウェア的に示す概略図。
【発明を実施するための形態】
【０００９】
以下、図面を参照して、実施の一形態について説明する。
【００１０】
図１に、実施形態に係わる電子機器１の概略を示す。
【００１１】
図１が示す電子機器１は、例えばテレビジョン受信装置（以下テレビジョン装置と称する）であり、空間波による伝送（放送）やネットワークを経由した配信により供給される番組（コンテンツと称する場合もある）のうちの視聴者（ユーザ）が選択した番組を受信して再生する。なお、番組（コンテンツ）の取得は、例えばコンテンツサーバ（番組提供元）へのアクセス（参照と選択的な取得（ダウンロード））等であってもよい。また、以下に説明する個々の要素や構成は、マイクロコンピュータ（処理装置、ＣＰＵ（Central Processing Unit））によりソフトウェアで実現するものであってもよいし、ハードウェアで実現するものであってもよい。なお、番組は、ストリームあるいは情報と称する場合もあり、映像及び映像に付属する音声あるいは音楽、等からなる。また、映像は、動画と静止画あるいはテキスト（コード化された符号列で示される文字や記号等で表される情報）ならびにその任意の組み合わせを含む。
【００１２】
テレビジョン装置（電子機器）１は、入力端１０２、マルチチャンネルチューナー１０３、入力端１０４〜１０７、信号処理部（ＴＳ分離部）１０８、コントローラ１１０、ＯＳＤ（On Screen Display）処理部１１１、グラフィック処理部１１２、映像処理部１１３、音声処理部１１４、操作部１１５、受信部１１７、カードホルダ１１９、カードインタフェース１２０、明るさセンサ１２１、ＬＡＮ端子１２２、通信インタフェース１２３、ＵＳＢ端子１２４、ＵＳＢインタフェース１２５、ＨＤＭＩ（登録商標）端子１２８、ＨＤＭＩインタフェース１２９、ディスプレイ（映像表示部）１４１、スピーカ（音響再生部）１４２、および記憶部（ＨＤＤ（Hard Disk Drive））１５１を備える。
【００１３】
なお、テレビジョン装置１は、ディスプレイ１４１及びスピーカ１４２を外部に有するものであってもよい。その場合、テレビジョン装置１は、外部に位置するディスプレイ１４１及びスピーカ１４２と、例えばケーブルにより接続する。
【００１４】
また、テレビジョン装置１は、ＨＤＤ１５１を外部に有するものであってもよい。その場合、テレビジョン装置１は、例えばＵＳＢ（Universal Serial Bus）規格に準拠するＵＳＢインタフェース１２５及びＵＳＢ端子１２４を経由して、ＨＤＤ１５１と接続することができる。また、ＵＳＢインタフェース１２５及びＵＳＢ端子１２４は、ＨＤＤ１５１と独立して用意される外部記憶装置（ＨＤＤ／カード型記憶媒体（メモリカード）等）、と接続することもできる。
【００１５】
なお、テレビジョン装置１は、チューナー（マルチチャンネルチューナー）を含まない構成であってもよい。その場合、テレビジョン装置１は、通信インタフェース１２３及びＬＡＮ端子１２２によりＩＰ（Internet Protocol）通信網、等のネットワークと接続し、番組配信元（配信事業者）が配信する番組を受信できる。この場合、テレビジョン装置１がネットワーク上の番組提供元（コンテンツサーバ）へアクセスすることにより、選択的にストリーミング映像（ストリーム）を取得することも可能である。
【００１６】
また、入力端１０２には、アンテナ１０１が受信する放送信号が入力する。入力端１０４〜１０７には、外部入力信号が入力する。外部入力信号の供給元としては、例えばＳＴＢ（Set Top Box（外部チューナーと称する場合もある））、映像記録装置（レコーダと称する場合もある）、映像再生装置（プレーヤと称する場合もある）もしくはビデオカメラ装置、等、任意である。特に、ビデオカメラ装置は、カメラ装置としての形態に支配されるものではなく、画像撮影が可能な携帯可能な端末装置、例えばタブレットＰＣ（Personal Computer）装置、等であってもよい。また、信号処理部１０８は、入力端１０４〜１０７から供給されたデジタル（またはアナログ）の映像信号及び音声信号をデコード処理や高画質化・高音質化処理することができる。もし、アナログ信号が入力される場合には、図示しないＡ／Ｄ変換回路にてＡ／Ｄ変換した後、信号処理部１０８に入力される。
【００１７】
なお、上記の個々の要素（モジュールあるいはユニットと称する場合もある）は、それぞれハードウェア回路として構成されており、例えば専用線や汎用の通信バス、等の電気信号線を介して相互に接続されている。但し、上記の個々の要素のいくつかは、コントローラ１１０の制御において動作するソフトウェアにて実現されるものであってもよい。
【００１８】
図１が示すテレビジョン装置１においては、入力端１０２がアンテナ１０１で受信した放送信号（あるいは外部入力信号）を受け付ける。入力端１０２に入力した放送信号は、視聴者が選局した（あるいは自動録画のために予約されている）チャンネル毎に、マルチチャンネルチューナー１０３で、選局される。入力部１０３は、Ｎ（Ｎは正の整数）個のチューナー１０３ａ〜１０３ｎを含み、最大でＮチャンネルの番組を受信（選局）できる。
【００１９】
選局されたチャンネルの放送信号（番組）が含まれるＴＳ（Transport Stream）は、信号処理部１０８が含む映像デコーダ、オーディオデコーダおよび制御情報処理部において次の処理が行われる。映像デコーダ、オーディオデコーダおよび制御情報処理部は、選局されたチャンネルの番組を含むＴＳ（Transport Stream）から、選局されたチャンネルの番組の映像信号（video）、音声／音響信号（audio）ならびに制御情報に分離し、番組の映像信号（video）、音声／音響信号（audio）をデコードする。なお、信号処理部１０８が含む映像デコーダおよびオーディオデコーダの数は、マルチチャンネルチューナー１０３が含むチューナーの個数Ｎと同数以上であることが好ましい。実施形態では、少なくとも１つの映像デコーダおよびオーディオデコーダをハードウェアデコーダにより構成し、残りのチューナーの個数分については、ソフトウェアデコーダにより構成するものとする。なお、ハードウェアデコーダあるいはソフトウェアデコーダのそれぞれは、ＴＳのうちの制御情報に含まれる優先度の高い特定の情報（及びまたは少なくともＩ−フレーム画像）や文字スーパーを含むＰＥＳ（Packetized Elementary Stream）を取り出すとともに、映像のＰＥＳやオーディオのＰＥＳをデコードする。これにより、信号処理部１０８のコストを、全てのチャンネルの番組をデコードするためにチューナーの個数分のハードウェアデコーダを用意する場合に比較して、抑えることができる。
【００２０】
信号処理部１０８が含むハードウェアデコーダは、自身がデコード(必要によりでスクランブル（暗号復号）して再生する番組に加え、マルチチャンネル表示のためにソフトウェアデコーダにより復調（デモジュレート）されたＴＳを受け取り、ＴＳから選局されたチャンネルの番組の映像信号（video）、音声／音響信号（audio）をデコード（必要によりデスクランブル（暗号復号）し、マルチチャンネル表示の副画面表示のための映像を再生するものであってもよい。また、ハードウェアデコーダが２以上のチューナーに対して用意されている場合、１以上のハードウェアデコーダをソフトウェアデコーダの代わりに、優先度の高い特定の情報の検出（取り出し）のために利用することも可能である。
【００２１】
コントローラ１１０は、ＣＰＵ（central processing unit）１０、ＲＯＭ（Read Only Memory）１１、ＲＡＭ（Random Access Memory）１２、不揮発性メモリ１３、等を含む。
【００２２】
コントローラ１１０は、ＲＯＭ（Read Only Memory）１１が保持する制御プログラムに基づいて、操作部１１５からの操作入力（ユーザ指示）及びリモートコントローラ（リモコン）１１６が送出するコマンド（制御信号）を受信部１１７が受信した操作入力に対応する各部の動作を制御する。なお、受信部１１７及びリモートコントローラ１１６は、電波等を用いる無線通信により操作信号の送受信を行うものであってもよいし、赤外線を利用するものであってもよい。
【００２３】
コントローラ１１０はまた、ディスプレイ１４１の表示領域（画面）にＯＳＤ表示する［青］ボタン、［赤］ボタン、［緑］ボタン及び［黄］ボタンのそれぞれに対するリモコン１１６の同色のキーからの操作入力を受け付ける。各色のキーからの操作入力は、表示中の画面モード（例えばメニュー画面や選択画面）毎に、予め決められたさまざまな制御コマンドとしてコントローラ１１０が受けつけ可能であり、コントローラ１１０から各色のキーに対応する制御の実行が指示される。コントローラ１１０はさらに、図２を用いて後段で説明するディスプレイ１４１の画面表示内の、例えば６つの副映像の表示位置の表示位置に表示する個々の番組（のチャンネル）を設定する。
【００２４】
コントローラ１１０はまた、カードインタフェース１２０を介してメモリカード１１８が装着可能なカードホルダ１１９と接続する。すなわち、コントローラ１１０は、カードホルダ１１９に装着されたメモリカード１１８との間の情報の受け渡し（読み出しと書き込み）が可能である。
【００２５】
コントローラ１１０はさらに、通信インタフェース１２３を介してＬＡＮ端子１２２と接続する。従い、コントローラ１１０は、ＬＡＮ端子１２２と接続するＬＡＮ対応機器との間の情報の受け渡し（送信と受信）が可能である。すなわち、コントローラ１１０は、ＤＨＣＰ（Dynamic Host Configuration Protocol）サーバとして機能する。この場合、コントローラ１１０は、ＬＡＮ端子１２２と接続するＬＡＮ対応機器に、それぞれの制御のためのＩＰアドレスを割り当て、ＬＡＮ対応機器毎に、所定の制御を行う。
【００２６】
また、コントローラ１１０は、ＨＤＭＩインタフェース１２９を通じて、ＨＤＭＩ端子１２８と接続する。すなわち、コントローラ１１０は、ＨＤＭＩ端子１２８と接続する任意のＨＤＭＩ対応機器の間の情報の受け渡し（映像信号、オーディオ（音声）信号及び制御信号の送信と受信）が可能である。
【００２７】
コントローラ１１０はまた、ＵＳＢインタフェース１２５を介してＵＳＢ端子１２４と接続する。すなわち、コントローラ１１０は、ＵＳＢ端子１２４に接続されたＵＳＢ対応機器（例えば上述したＨＤＤ１５１）との間の情報の受け渡し（映像信号、音声／音響信号及び制御信号の送信と受信）が可能である。  
なお、コントローラ１１０は、明るさセンサ１２１が検出する明るさ検出信号に従い、ディスプレイ１４２が表示する映像（画像）及びバックライト（照明光）の明るさ、等を制御する。
【００２８】
グラフィック処理部１１２は、信号処理部１０８が供給するデジタル映像信号にＯＳＤ（On Screen Display）処理部１１１が生成するＯＳＤ信号を重畳して出力する。
【００２９】
グラフィック処理部１１２が出力するデジタル映像信号は、映像処理部１１３により、後段のディスプレイ１４１の再生特性に従う、実際の画面表示のための処理の表示処理の後、ディスプレイ１４１に入力する。グラフィック処理部１１２は、信号処理部１０８において映像デコードされた映像信号（video）や制御情報処理部により検出された優先度が非常に高い情報が付属した番組を、それまでに再生している主映像と同じ画面に表示するように、主映像の表示サイズの変更や複数の副映像を多重するための処理を行う。なお、グラフィック処理部１１２は、図２により後段に説明するが、ディスプレイ１４１の主映像の表示位置、主映像の表示位置に対して所定の位置に表示される複数、例えば６の副映像の表示位置の表示位置を設定する。また、グラフィック処理部１１２は、ディスプレイ１４１が表示する主映像および副映像の表示位置とは独立した補助的な表示を表示する補助的表示の表示位置を設定する。なお、グラフィック処理部１１２は、ＯＳＤ処理部１１１の出力を、信号処理部１０８の出力映像信号の一部を透過可能に、出力映像信号に重ね合わせて出力することが可能である。グラフィック処理部１１２はまた、ＯＳＤ処理部１１１の出力を、信号処理部１０８の出力映像信号とＯＳＤ処理部１１１の出力ＯＳＤ信号とを選択的に出力すること、両出力をそれぞれ画面の半分を構成するように組み合わせて出力すること、等が可能である。なお、グラフィック処理部１１２は、ＯＳＤ処理部１１１の出力を重ね合わせる際の画面表示の大きさや位置、あるいは透過率について、任意に設定できる。また、グラフィック処理部１１２は、ディスプレイ１４１が同一画面表示内に表示する副映像の個数を任意に設定でき、視聴者（ユーザ）からの指示入力に対応するコントローラ１１０の処理に基づいて、例えば３〜７程度の副映像表示位置を設定する。また、副映像の表示サイズは、主映像の表示サイズとともに所定の大きさに設定されるが、視聴者からの指示入力に対応するコントローラ１１０の処理に基づいて任意に変更可能である。
【００３０】
音声処理部１１４は、入力されたデジタル音声（オーディオ）信号をスピーカ１４２で再生可能なフォーマットのアナログ音声（音響）信号に変換し、スピーカ１４２にする。なお、音声処理部１１４は、ディスプレイ１４１において、副映像が表示されている場合には、主映像に付属する音声（音響）信号を出力する。
【００３１】
図２は、映像処理部が出力する映像表示信号に対応してディスプレイが表示する画面表示の一例を示す。
【００３２】
図２が示す画面表示１５１は、主映像表示領域（主画面または主画面表示と称する場合もある）１５２、第１〜第６の副映像表示領域（副画面または副画面表示と称する場合もある）１５３〜１５８および補助的表示表示領域１５９、を含む。
【００３３】
主映像表示領域１５２は、例えば視聴者が選択した任意のチャンネル（ＣＨと表示する場合や放送局または配信元と称する場合もある）の番組の映像を表示する。主映像表示領域１５２は、テレビジョン装置１の電源がオンされた時点では、テレビジョン装置１の電源がオフされた時点で受信していた番組のＣＨをレジュームし、現在そのＣＨで放送されている番組の映像を表示する。なお、図２においては、主映像表示領域１５２が表示する番組を『番組１２３』と呼称する。
【００３４】
第１〜第６の副映像表示領域１５３〜１５８は、それぞれ、『番組Ａ』、『番組Ｂ』、『番組Ｃ』、『番組Ｄ』、『番組Ｅ』、『番組Ｆ』、を表示する。なお、図２が示す例では、個々の副映像表示領域１５３〜１５８のそれぞれが、『番組Ａ』、『番組Ｂ』、『番組Ｃ』、『番組Ｄ』、『番組Ｅ』、『番組Ｆ』、を表示するが、番組が放送されていないチャンネルに対応する副映像表示領域ついては、例えば黒画面表示（映像非表示）とすることが好ましい。なお、それぞれの副映像表示領域１５３〜１５８が表示する副映像の番組（ＣＨ）の配列（表示順）は、例えばＣＨの番号の小さい順（もしくは大きい順）、例えば視聴者が視聴した回数の多い順、等、任意である。また、映像を表示しない（黒画面表示の）副映像表示領域は、副映像表示領域に表示する全ての番組（ＣＨ）の選択が終了した時点で、第１の副映像表示領域１５３から近い順に、あるいは第６の副映像表示領域１５８から近い順に、集約（ソート）されるものであってもよい。
【００３５】
それぞれの副映像表示領域１５３〜１５８が表示する副映像は、例えばレコーダ装置あるいはプレーヤ装置が再生する記憶済みの番組（コンテンツ）や、ネットワークを通じて取得可能な番組（コンテンツ）であってもよい。
【００３６】
第１〜第６の副映像表示領域１５３〜１５８は、それぞれ番組情報表示領域１５３Ａ、１５４Ａ、１５５Ａ、１５６Ａ、１５７Ａ、１５８Ａ、ＣＨ番号表示領域１５３Ｂ、１５４Ｂ、１５５Ｂ、１５６Ｂ、１５７Ｂ、１５８ＢおよびＣＨ（放送局／配信元／供給元）ロゴマーク表示領域１５３Ｃ、１５４Ｃ、１５５Ｃ、１５６Ｃ、１５７Ｃ、１５８Ｃ、を含む。
【００３７】
それぞれの番組情報表示領域１５３Ａ〜１５８Ａは、例えば個々の表示領域の下部に位置することが好ましい。それぞれの番組情報表示領域１５３Ａ〜１５８Ａは、受信中の（個々の表示領域が副映像として表示している）番組（ＣＨ）の、例えば番組名（タイトル）を表示する。それぞれの番組情報表示領域１５３Ａ〜１５８Ａは、副映像として表示している番組の番組説明、例えばジャンル、ストーリー概略（あらすじ）、出演者名、初回放送と再放送との識別、等）を表示するものであってもよい。番組説明が個々の表示領域１２Ａ〜１７Ａの大きさを超える（表示領域内に全ての説明（情報）を表示できない）場合は、表示対象である文字列をスクロールして全てのメッセージを表示することが好ましい。また、例えばフォーカスが当てられた副映像については、表示領域の大きさを、例えば３行程度のメッセージが表示可能に一時的に拡大し、視聴者が容易に番組説明を視認可能とすることが好ましい。これにより、フォーカスが当たった（視聴者が）視聴対象の候補と考える可能性のある番組（ＣＨ）について、視聴者の視聴しようとする意欲を高めることができる。なお、フォーカスが当てられた副映像の番組説明を、一時的に、主映像の画面表示内に、ポップアップにより表示してもよい。
【００３８】
また、副映像が含む表示領域においては、フォーカスが当てられた副映像（ＣＨ）について、そのＣＨ（番組）に関わる関連情報、例えば過去に放送した時点の情報や次回の放送に関する情報を表示してもよい。この場合においても、表示領域の大きさを一時的に拡大してもよいし、主映像の画面表示内に、所定期間（時間）だけ、ポップアップ表示してもよい。なお、過去に放送した時点の情報は、例えば過去番組表の表示のために保持されている用いる番組情報を参照することができる。また、次回の放送に関する情報は、録画予約のためのＥＰＧ（Electric Program Guide，電子番組表）が含む番組情報を参照することができる。
【００３９】
それぞれのＣＨ番号表示領域１５３Ｂ〜１５８Ｂは、受信している（個々の表示領域が副映像として表示している）の番組のＣＨ番号を、例えば３桁の数字で表示する。
【００４０】
それぞれのＣＨ（放送局／配信元／供給元）ロゴマーク表示領域１５３Ｃ〜１５８Ｃは、受信している（個々の表示領域が副映像として表示している）の番組の放送局や配信元あるいは供給元を（容易に）認識可能なロゴマークやＣＨアイコンを表示する。
【００４１】
ＣＨ番号表示領域１５３Ｂ〜１５８Ｂとロゴマーク表示領域１５３Ｃ〜１５８Ｃとは、個々の副映像表示領域１５３〜１５８内の任意の位置に位置する。ＣＨ番号表示領域１５３Ｂ〜１５８Ｂとロゴマーク表示領域１５３Ｃ〜１５８Ｃとは、多くの場合一体的に（近接して）表示するが、別々の（独立した）位置に表示するものであってもよい。
【００４２】
補助的表示表示領域１５９は、例えば主映像表示領域が表示する番組の情報、例えば番組名、放送時間、連続して放送される場合の回数（和数）、前回までの放送のあらすじ、等を表示する。なお、補助的表示が表示する情報は、例えば主映像に付属する（主映像の画面表示内に一体的に表示される）テキスト（文字情報）や、ＣＨ表示およびや放送局のロゴマークであってもよい。また、補助的表示が表示する情報は、例えばテキスト（文字情報）とＣＨ表示や放送局のロゴマークとを主体とし、主映像および副映像のいずれによっても表示していない他のＣＨの放送の情報を、所定時間毎に表示するものであってもよい。補助的表示が表示する情報はさらに、例えば時刻や曜日、等の受信中の放送とは直接の関連性が高いとは限らないが、視聴者にとって有益な情報を表示するものであることが好ましい。第３の補助的表示は、テレビジョン装置１が設置されている地域の天気予報、等を含む表示であってもよい。また、補助的表示が表示する情報は、主映像および副映像のいずれによっても表示していない他のＣＨの放送に関する情報であって、例えばＳＮＳサーバから取得可能な他の視聴者が現在視聴している番組の視聴状況（視聴率、等）に関する表示であってもよい。補助的表示が表示する情報はまた、例えば主映像で現在表示しているＣＨ（放送局あるいは配信元）において次の時間帯（放送時間枠）において放送する番組の情報（広告）であってもよい。補助的表示が表示する情報はさらに、例えば任意の放送局あるいは配信元が放送する放送する番組の宣伝（広告）、等の表示であってもよい。なお、補助的表示が表示する情報は、上述した情報が所定のタイミングで切り替えられて表示されてもよい。また、補助的表示が表示する情報は、例えば（ユーザの）リモコン操作により、表示を停止することが可能であることが好ましい。補助的表示が表示する情報は、以下に説明する優先度が非常に高い情報が付属する番組を受信したことが検出された場合、それまでに表示している情報の表示を中断して優先度が非常に高い情報を表示することが好ましい。
【００４３】
次に、コントローラ１１０による番組（優先度が非常に高い情報）の表示方法の一例を説明する。
【００４４】
信号処理部１０８で分離した制御情報は、例えばＴＳの分配規則や内容、スケジュールあるいはタイミング、及びＥＰＧ情報、等を記述したＳＩ（Service Information、番組配列情報）／ＰＳＩ（Program Specific Information）を含む。コントローラ１１０は、制御情報が含むＰＳＩからＰＡＴ（Program Association Table）、ＣＡＴ（Conditional Access Table）、ＮＩＴ（Network Information Table）、ＰＭＴ（Program Map Table）を抽出し、マルチチャンネルチューナー１０３の個々のチューナー１０３ａ〜１０３ｎが受信しているチャンネルの番組を再生する。なお、ＳＩは、ＴＳに含まれる動画やオーディオ、等であるＥＳ（Elementary Stream）が、どのプログラムに属しているかを記述した情報であるＰＳＩ（Program Specific Information）を拡張して設けられた情報で、チャンネル名や番組情報の表示のためのＳＤＴ、ＥＩＴ等を含めた情報である。また、ＰＳＩは、図３に模式的に示すが、ＰＭＴの構造３０１の記述のうちの第１の記述ループ３２１内に、優先度が非常に高い情報が放送されている場合、それを表示（記述）することが規定されている。すなわち、優先度が非常に高い情報が放送されている場合、ＥＳの記述が含まれる第２の記述ループ３２３の前段の第１の記述ループの終了を示す記述３２２よりも先行する記述に、図４に模式的に示すが、優先度が非常に高い情報、特に『文字スーパー』であることを示すＥＷＳ（Emergency Warning Signal）４０１が記述される。なお、ＥＷＳは、社団法人電波産業会、すなわちＡＲＩＢ（Association of Radio Industries and Businesses）が規定する標準規格において、「番組と独立して放送（送信）される『文字スーパー』」であることが定義されている。ここで、「番組と独立して・・・」とは、テレビジョン放送の映像に重ねて文字を表示するサービスのうち、映像の内容と関連したサービスが『字幕』として区分されることにより、それ以外のものが『文字スーパー』となる。『文字スーパー』については、メインの映像・音声・データと非
同期の字幕サービス、速報ニュース、編成ことわり、時報、緊急地震速報、等と規定されている。なお、ＥＷＳは、図３に示したＰＭＴの第１の記述ループ３２１内の記述において、「descriptor_tag（記述子タグ）が“０ｘＦＣ”」と記述される。また、運用上の規則として、ＥＷＳを示す記述子タグは、ＥＷＳが放送されている間じゅう、ＰＭＴ内に記述されることが規定されている。従い、コントローラ１１０においては、信号処理部１０８の制御情報処理部において、ＰＭＴの第１の記述ループ３２１内に「descriptor_tagが“０ｘＦＣ”」と記述のある記述子タグが存在することを検出した時点で、『文字スーパー』、特に『緊急情報』が送信（放送）されていることを特定できる。
【００４５】
なお、『文字スーパー』は、ＰＥＳとして送信（放送）されることが標準的であるが、ＰＥＳが含む（１つのＰＥＳに属する）任意数のパケットが「空」すなわちパケット内に情報が存在していない場合がある。従い、信号処理部１０８の制御情報処理部において、ＰＭＴの第１の記述ループ３２１内に「descriptor_tagが“０ｘＦＣ”」と記述のある記述子タグが存在することを検出した場合、その記述ループにおいて規定されているＰＥＳに属するパケット内に情報が存在していることを確認することが好ましい。
【００４６】
上述した検出処理により信号処理部１０８の制御情報処理部が、優先度が非常に高い情報（『緊急情報』／『文字スーパー』）が付属した番組（放送）の受信を検出すると、グラフィック処理部１１２は、コントローラ１１０の制御の下で、ディスプレイ１４１の表示を図２に示したマルチチャンネル表示に切り替え、『緊急情報』／『文字スーパー』）が付属した番組を副映像表示領域の所定の領域に表示する（ディスプレイ１４１が単一の番組を表示している場合であって表示中の番組以外の番組を表示している場合）。すなわち、視聴者が直接視聴していない番組にて、『緊急情報』／『文字スーパー』）が付属した番組（放送）の受信を検出した場合であっても、視聴しているものと同様に、ディスプレイ１４１に優先度が非常に高い情報を表示させることができる。また、ディスプレイ１４１がマルチチャンネル表示で複数番組を表示している場合であって、主映像領域に表示されているチャンネルとは異なるチャンネル、すなわち副映像で表示しているいずれかの番組で『緊急情報』／『文字スーパー』が付属した番組の放送を検出した場合には、そのチャンネルの番組を、主映像表示領域に表示することが好ましい。なお、ディスプレイ１４１がマルチチャンネル表示で複数番組を表示している場合であって、主映像領域に表示されているチャンネルにおいて『緊急情報』／『文字スーパー』が付属した番組の放送を検出した場合には、マルチチャンネル表示を中止して、単一の画面表示としてもよい。また、上述の優先度が非常に高い情報の検出は、「緊急情報」あるいは「文字スーパー」放送以外を検出した場合においても実現できる。例えば、放送サービス高度化推進協会（The Associatio for Promotio of Advanced Broadcasting Services、Ａ−ＰＡＢ）で規格されている『緊急ニュース（緊急ニュース記述子）』を検出した場合においても、同様に画面表示を制御することが好ましい。なお、テレビジョン装置１に、例えば揺れや温度を検出できるセンサー類や、携帯電話に付帯されている緊急地震速報の受信手段、等を用意することで、それらによる検出を併用してもよい。また、副映像表示領域あるいは主映像表示領域が表示する映像は、静止画（任意の表示をキャプチャした画像を含む）あるいは文字情報のみからなる表示（グラフィックを含む）、等、任意である。
【００４７】
図５は、「優先度が非常に高い情報（『緊急情報』／『文字スーパー』）」が付属した放送（番組）の検出処理の一例を、ソフトウェア的に示す。
【００４８】
任意のチャンネルの番組を受信中に、いずれかのチャンネルの放送に「優先度が非常に高い情報（『緊急情報』／『文字スーパー』）」が付属した放送（番組）を受信した場合（［５１］−ＹＥＳ）、表示処理部（グラフィック処理部／コントローラ）に、（優先度が非常に高い情報である）『緊急情報』が付属した番組を受信したことを通知する（［５３］）。
【００４９】
なお、「優先度が非常に高い情報（『緊急情報』）」が付属した放送（番組）を受信していない場合であって（［５１］−ＮＯ）、『文字スーパー』が付属した放送（番組）を受信した場合に『文字スーパー』が含むＰＥＳに属するパケット内に情報が存在している場合には（［５２］−ＹＥＳ）、同様に（優先度が非常に高い情報である）『緊急情報』が付属した番組を受信したことを通知する（［５３］）。
【００５０】
図６は、『緊急情報』／『文字スーパー』が付属した放送（番組）を検出した場合における表示処理部の表示制御の一例を、ソフトウェア的に示す。
【００５１】
コントローラ１１０は、グラフィック処理部１１２に設定されている表示モード（表示設定）がマルチチャンネル表示を行う設定であることを確認する（［６１］）。
【００５２】
マルチチャンネル表示を行う設定である場合（［６１］−ＹＥＳ）、コントローラ１１０は、検出部すなわち信号処理部１０８の制御情報処理部が、『緊急情報』／『文字スーパー』が付属した放送（番組）を受信したことを検出した場合には（［６２］−ＹＥＳ）、ディスプレイ１４１の表示モードを、マルチチャンネル表示に切り替え、『緊急情報』／『文字スーパー』が付属した放送（番組）を表示する（［６３］）。なお、マルチチャンネル表示が設定されていない場合（［６１］−ＮＯ）、検出部による『緊急情報』／『文字スーパー』の検出機能を動作させない（検出機能を停止する）ことで、消費電力を低減することが可能である。マルチチャンネル表示を行うか否かの設定については、従来から良く知られているＧＵＩを利用した設定メニューの技術を用いて、予めユーザが好みに応じて設定・記憶できるようにしておく。
【００５３】
このように、いずれかのチャンネルの放送で「優先度が非常に高い情報（『緊急情報』／『文字スーパー』）」が付属した放送（番組）を受信したことを、主映像をデコードするハードウェアデコーダと独立に、例えば信号処理部１０８の制御情報処理部によりを検出することにより、装置コストを上昇させることなく、ユーザ（視聴者）が『緊急情報』を視覚的に得られる機会を提供できる。
【００５４】
また、『緊急情報』を取得するために『文字スーパー』を利用することにより、番組中の字幕、等を解析して緊急情報を表示する場合に比較して、早いタイミングで、緊急情報を表示できる。
【００５５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５６】
１…テレビジョン放送受信装置（電子機器）、１０２…入力端、１０３…マルチチューナー、１０４〜１０７…入力端、１０８…信号処理部（第１のデコーダ）、１１０…コントローラ（第２のデコーダ）、１１１…ＯＳＤ処理部、１１２…グラフィック処理部、１１３…映像処理部、１１４…音声処理部、１１５…操作部、１１６…リモートコントローラ（リモコン）、１１７…受信部、１１９…カードホルダ、１２０…カードインタフェース、１２１…明るさセンサ、１２２…ＬＡＮ端子、１２３…通信インタフェース、１２４…ＵＳＢ端子、１２５…ＵＳＢインタフェース、１２８…ＨＤＭＩ端子、１２９…ＨＤＭＩインタフェース、１４１…ディスプレイ、１５１…記憶部（ＨＤＤ）。
【図１】
2018046466.tif 000003
【図２】
2018046466.tif 000004
【図３】
2018046466.tif 000005
【図４】
2018046466.tif 000006
【図５】
2018046466.tif 000007
【図６】
2018046466.tif 000008